(57)【要約】要約課題本発明の課題は、通常の楽器の演奏時において、その演奏する感覚とできるだけ異なることのない弱音装置を提供する。課題を解決するための手段解決手段呼気を流通させることによりリードを振動することで音を発生させる楽器に取り付け、前記リードが発生する音を流通させるための取り入れ部を具備する取り付け部と、前記取り付け部に取り付けて、前記取り入れ部から取り入れられた音を通過させてその音の音量を減少させる通路部を具備する弱音部と、を有し、前記通路部はその断面が段階的にあるいは無段階に減少する弱音装置である。選択図              図１
2019146002.tif 000002
【特許請求の範囲】
【請求項１】
呼気を流通させることによりリードを振動することで音を発生させる楽器に取り付け、前記リードが発生する音を流通させるための取り入れ部を具備する取り付け部と、
前記取り付け部に取り付けて、前記取り入れ部から取り入れられた音を通過させてその音の音量を減少させる通路部を具備する弱音部と、を有し、
前記通路部はその断面が段階的にあるいは無段階に減少する弱音装置。
【請求項２】
前記取り付け部は、取り付け上部と取り付け下部を有する請求項１記載の弱音装置。
【請求項３】
前記弱音部は、複数のセルを有し、前記複数のセルのうち少なくとも１のセルは、薄板で欠円状を呈する側部材と、壁部とを有し、前記通路部は、前記側部材と、前記壁部とによって構成され、前記セルの外部から内部に向かって渦巻状に巻き込む形状を呈することを特徴とする請求項１または２記載の弱音装置。
【請求項４】
前記弱音部は、上部弱音部材と下部弱音部材と、を有し、
前記上部弱音部材は、少なくとも複数の上部障壁部と、
前記下部弱音部材は、少なくとも複数の下部障壁部と、をさらに有し、
前記複数の上部障壁部と、前記複数の下部障壁部とは、互い違いに組み合わせることによって前記通路部を構成する請求項１記載の弱音装置。
【発明の詳細な説明】
【技術分野】
【０００１】
本発明は、楽器類に使用することにより、その楽器が発する音の音量を減ずることができる弱音装置に関するものである。
【背景技術】
【０００２】
いわゆるリードを使用して音を発生させる楽器としていわゆる木管楽器や金管楽器が存在する。それらの楽器は、リードを振動させるための空気の流入量を減らことによりそのリードの振動を制限することで、その音量を下げることができる。これは楽器の練習時において騒音に配慮するために使用されている。【０００３】
このようなものとして、特許第６１０１８６７号公報において音量を下げることができる弱音装置が開示されている。これはオカリナに装着することのできる、弱音装置に関するものであるが、「吹奏楽器の吹口に設けられている息圧調整弱音装置であって、前記吹奏楽器に息が到達する前であり、かつ、前記吹奏楽器の歌口の前に、息逃し孔と、ウィンドウェイ幅制御部と、を有することを特徴とする息圧調整弱音装置。」が開示されている。【０００４】
このようにあらかじめ楽器に流入する空気の量を制限して発生する音の音量を減ずる弱音装置が開示されているものの、楽器の演奏するための練習において、楽器に流入する空気の量を制限することは本来の楽器の演奏時における使用者の感覚とは異なるものであり、その楽器の練習に使用することは適当ではない。
【先行技術文献】
【特許文献】
【０００５】
【特許文献１】特許第６１０１８６７号公報
【発明の概要】
【発明が解決しようとする課題】
【０００６】
本発明は前記の点に鑑みなされたもので、その課題は、通常の楽器の演奏時において、その使用者の演奏する感覚とできるだけ異なることのない弱音装置を提供することを目的とする。
【課題を解決するための手段】
【０００７】
鋭意研究開発の結果前記の課題を解決するため、第１観点の弱音装置は、呼気を流通させることによりリードを振動することで音を発生させる楽器に取り付け、リードが発生する音を流通させるための取り入れ部を具備する取り付け部と、取り付け部に取り付けて、取り入れ部から取り入れられた音を通過させてその音の音量を減少させる通路部を具備する弱音部と、を有し、通路部はその断面が段階的にあるいは無段階に減少するというものである。【０００８】
また、第２観点の弱音装置は、第１観点において、取り付け部は、取り付け上部と取り付け下部を有するというものである。【０００９】
また、第３観点の弱音装置は、第１観点または、第２観点において、弱音部は、複数のセルを有し、複数のセルのうち少なくとも１のセルは、薄板で欠円状を呈する側部材と、壁部とを有し、通路部は、側部材と、壁部とによって構成され、セルの外部から内部に向かって渦巻状に巻き込む形状を呈するというものである。【００１０】
また、第４観点の弱音装置は、第１観点において、弱音部は、上部弱音部材と下部弱音部材と、を有し、上部弱音部材は、少なくとも複数の上部障壁部と、下部弱音部材は、少なくとも複数の下部障壁部と、をさらに有し、複数の上部障壁部と、複数の下部障壁部とは、互い違いに組み合わせることによって通路部を構成するというものである。
【発明の効果】
【００１１】
本発明は上記のように構成されかつ作用するものであるから、楽器の演奏時において、従来と演奏感覚が異なることのない弱音装置を提供することができる。
【図面の簡単な説明】
【００１２】
【図１】第１の実施例の弱音装置を楽器に取り付けた状態の斜視図。
【図２】Ａは楽器の平面図。Ｂは楽器の正面図。Ｃは楽器の底面図。
【図３】楽器に取り付けた状態の第１の実施例における弱音装置の分解斜視図。
【図４】Ａは、楽器に、取り付け部を取り付けた状態において後部から見た後ろ正面図。Ｂは、楽器に、取り付け部を取り付けた状態の平面図。Ｃは、ＢのＩＶＣ−ＩＶＣ線断面図。
【図５】Ａは、取り付け上部の斜視図。Ｂは、取り付け上部の平面図。Ｃは、取り付け上部の底面図。Ｄは、取り付け上部の側面図。
【図６】Ａは、取り付け下部の斜視図。Ｂは、取り付け下部の平面図。Ｃは、取り付け下部の底面図。Ｄは、取り付け下部の側面図。
【図７】弱音部の分解斜視図。
【図８】Ａは、セルの斜視図。Ｂは、セルの左側面図。Ｃは、セルの右側面図。Ｄは、セルの正面図。
【図９】第２の実施例の弱音装置を楽器の取り付けた状態の斜視図。
【図１０】第２の実施例の弱音装置を楽器の取り付けた状態において後部から見た状態の側面図。
【図１１】図９のＸＩ−ＸＩ線断面図。
【図１２】第２の実施例の弱音装置と楽器の分解斜視図。
【図１３】Ａは、一体となった第２取り付け上部と、上部弱音部材との斜視図。Ｂは、一体となった第２取り付け上部と、上部弱音部材との平面図。Ｃは、一体となった第２取り付け上部と、上部弱音部材との側面図。Ｄは、一体となった第２取り付け上部と、上部弱音部材との底面図。
【図１４】Ａは、一体となった第２取り付け下部と下部弱音部材との斜視図。Ｂは一体となった第２取り付け下部と下部弱音部材との平面図。Ｃは、一体となった第２取り付け下部と下部弱音部材との側面図。Ｄは、一体となった第２取り付け下部と下部弱音部材との底面図。
【発明を実施するための形態】
【００１３】
第１の実施例の弱音装置１０について説明する。第１の実施例における弱音装置１０は、楽器１００に取り付けて使用するものであり、その楽器１００が発する音の音量を小さくするいわゆる弱音化させるというものである。弱音装置１０は、楽器１００に取り付けるための取り付け部２０と、その取り付け部２０に取り付けて、楽器１００が発生する音量を小さくするいわゆる弱音化する弱音部３０と、を有する（図１参照）。
【００１４】
楽器１００はハーモニカが好ましく、本体１１０の上下に、図示しない使用者が、息を吹いたときに発音する、吹音リード１２１ａと、使用者が息を吸った時に発音する吸音リード１２２ａを有する。上記吹音リード１２１ａと、吸音リード１２２ａとは、使用者が歌口となる１の開口部１１１ａに図示しない使用者が、息を吹き込んだり、空気を吸引することで音を発するように配置されている。
【００１５】
また歌口となる１の開口部１１１ａと隣接する歌口となる開口部１１１ｂは、隔壁によってその１の開口部１１１ａと分離されており、そのそれぞれに上記吹音リード１２１ｂと、上記吸音リード１２２ｂとが配置されている。同様に、隣接する開口部１１１ｃは、隔壁によって分離されており、そのそれぞれに吹音リード１２１ｃと、吸音リード１２２ｃとが配置されている。さらに隣接する開口部１１１ｄも、隔壁によって分離されており、そのそれぞれに吹音リード１２１ｄと、吸音リード１２２ｄとが配置されている。なお以下同様にそれぞれの開口部１１１ｅ、１１１ｆ、１１１ｇ、１１１ｈ、１１１ｉ、１１１ｊについても同様であり、それぞれが吹音リード１２１ｅ、１２１ｆ、１２１ｇ、１２１ｈ、１２１ｉ、１２１ｊと、吸音リード１２２ｅ、１２２ｆ、１２２ｇ、１２２ｈ、１２２ｉ、１２２ｊを有し、それぞれが異なる音階の音を発生させる（図２参照）。なお、これらの構成については公知である。なお、楽器１００における開口部１１１ａ、１１１ｂ，１１１ｃ，１１１ｄ、１１１ｅ、１１１ｆ、１１１ｇ、１１１ｈ、１１１ｉ、１１１ｊと１０の開口部を有しているがこれに限られないのは言うまでもない。
【００１６】
取り付け部２０は、取り付け上部２１０と取り付け下部２２０とを有する。取り付け上部２１０は、文字通り楽器１００の上部にビス等の固定具を用いて取り付けることができるカバーである。従って楽器１００の上部を覆うように、取り付けることができる。よって、楽器１００とほぼ同形状を呈することが好ましい。
【００１７】
また、取り付け部２０における取り付け上部２１０は、楽器１００における各吹音リード１２１ａ、１２１ｂ、１２１ｃ、１２１ｄ、１２１ｅ、１２１ｆ、１２１ｇ、１２１ｈ、１２１ｉ、１２１ｊがそれぞれ発生する音を取り入れる上取り入れ部２１１ａ、２１１ｂ、２１１ｃ、２１１ｄ、２１１ｅ、２１１ｆ、２１１ｇ、２１１ｈ、２１１ｉ、２１１ｊをそれぞれ有する。また、弱音部３０と接続するための接続部２１５、２１５をそれらの両端に配置している。なお、上記各上取り入れ部は、独立し、楽器１００に取り付けたときに周囲が壁に囲まれた通路である。従って、上取り入れ部２１１ａ、２１１ｂ、２１１ｃ、２１１ｄ、２１１ｅ、２１１ｆ、２１１ｇ、２１１ｈ、２１１ｉ、２１１ｊは、各吹音リードが発生する音を、それぞれ、弱音部３０に伝達する通路としての役割を果たすものである。
【００１８】
また、取り付け上部２１０は、断面視フック状の係合上部２１６を複数有している。このうちの１の係合上部２１６は、弱音部３０のセル３１０ａにおけるセル係合上部３３１と係合し、接続するためのものである。なお、後述するとおり、他のセル３１０ｂ、３１０ｃ、３１０ｄ、３１０ｅ、３１０ｆ、３１０ｇ、３１０ｈ、３１０ｉ、３１０ｊについても同様である。
【００１９】
取り付け下部２２０は、文字通り楽器１００の下部にあてがうようにビス等の固定具を用いて取り付けることができるカバーである。従って、楽器１００の下部を覆うように取り付けることができる。よって、楽器１００とほぼ同形状を呈することが好ましい。
【００２０】
取り付け部２０における取り付け下部２２０は、楽器１００における各吸音リード１２２ａ、１２２ｂ、１２２ｃ、１２２ｄ、１２２ｅ、１２２ｆ、１２２ｇ、１２２ｈ、１２２ｉ、１２２ｊがそれぞれ発生する音を取り入れる下取り入れ部２２１ａ、２２１ｂ、２２１ｃ、２２１ｄ、２２１ｅ、２２１ｆ、２２１ｇ、２２１ｈ、２２１ｉ、２２１ｊを有する。また、弱音部３０と接続するための第２接続部２２５、２２５をその両端に配置している。なお、上記各下取り入れ部は、独立し、楽器１００に取り付けたときに周囲が壁に囲まれた通路である。従って、下取り入れ部２２１ａ、２２１ｂ、２２１ｃ、２２１ｄ、２２１ｅ、２２１ｆ、２２１ｇ、２２１ｈ、２２１ｉ、２２１ｊは、各吸音リードが発生する音を、それぞれ弱音部３０に伝達する通路としての役割を果たすものである。
【００２１】
また、取り付け下部２２０は、断面視フック状の係合下部２２６を有している。この係合下部２２６は、弱音部３０のセル３１０ａにおけるセル係合下部３３２と係合し、接続するためのものである。なお、後述するとおり、他のセル３１０ｂ、３１０ｃ、３１０ｄ、３１０ｅ、３１０ｆ、３１０ｇ、３１０ｈ、３１０ｉ、３１０ｊについても同様である。
【００２２】
弱音部３０は、複数のセル３１０ａ、３１０ｂ、３１０ｃ、３１０ｄ、３１０ｅ、３１０ｆ、３１０ｇ、３１０ｈ、３１０ｉ、３１０ｊを有する。これは楽器１００における開口部１１１ａ、１１１ｂ、１１１ｃ、１１１ｄ、１１１ｅ、１１１ｆ、１１１ｇ、１１１ｈ、１１１ｉ、１１１ｊを通じて、取り付け上部２１０における取り入れ部２１１ａ、２１１ｂ、２１１ｃ、２１１ｄ、２１１ｅ、２１１ｆ、２１１ｇ、２１１ｈ、２１１ｉ、２１１ｊと、取り付け下部２２０における取り入れ部２２１ａ、２２１ｂ、２２１ｃ、２２１ｄ、２２１ｅ、２２１ｆ、２２１ｇ、２２１ｈ、２２１ｉ、２２１ｊとそれぞれ対応するものである。ここで対応するとは、取り付け上部２１０における取り入れ部２１１ａを使用者が、息を吹き込んだり、空気を吸引した場合において、吹音リード１２１ａまたは、吸音リード１２２ａが音を発する。このとき吹音リード１２１ａが音を発した場合において、取り付け部２０における取り付け上部２１０の、上取り入れ部２１１ａが、その音を取り入れて、後述するセル３１０ａに、その音を伝達することであり、また、吸音リード１２２ａが音を発した場合において、取り付け部２０における取り付け下部２２０の、下取り入れ部２２１ａが、その音を取り入れて、後述するセル３１０ａに、その音を伝達することである。このように、上記それらの各吹音リードおよび各吸音リードが発する音を、それぞれのセルがその音を取り入れるために配置されていることを言うものである。
【００２３】
従って、セル３１０ａは、取り付け上部２１０における上取り入れ部２１１ａと、取り付け下部２２０における下取り入れ部２２１ａと、に対応しているために、吹音リード１２１ａおよび吸音リード１２２ａが発生する音を、そのセル３１０ａが取り入れることができるのである。
【００２４】
すなわちセル３１０ａは、取り付け上部２１０における上取り入れ部２１１ａと、取り付け下部２２０における下取り入れ部２２１ａと、から、吹音リード１２１ａおよび吸音リード１２２ａが発生する音を、取り入れることができるものである。また、その取り入れた音の音量を減ずることができるものである。また、セル３１０ｂも同様に、取り付け上部２１０における上取り入れ部２１１ｂと、取り付け下部２２０における下取り入れ部２２１ｂと対応し、吹音リード１２１ｂおよび吸音リード１２２ｂが発生する音を、取り入れることができるものである。また、その取り入れた音の音量を減ずることができるものである。３１０ｃ、３１０ｄ、３１０ｅ、３１０ｆ、３１０ｇ、３１０ｈ、３１０ｉ、３１０ｊについても同様である。
【００２５】
セル３１０ａ、３１０ｂ、３１０ｃ、３１０ｄ、３１０ｅ、３１０ｆ、３１０ｇ、３１０ｈ、３１０ｉ、３１０ｊの構成は同様であるために、セル３１０ａの構成について説明し（図８参照）、その他のセル３１０ｂ、３１０ｃ、３１０ｄ、３１０ｅ、３１０ｆ、３１０ｇ、３１０ｈ、３１０ｉ、３１０ｊの説明は省略する。
【００２６】
セル３１０ａは、全体として側面視欠円状を呈し、セル開口部３２０は、取り付け上部２１０における上取り入れ部２１１ａと、取り付け下部２２０における下取り入れ部２２１ａと接続されるというものであり、それぞれ、吹音リード１２１ａおよび吸音リード１２２ａから発生された音をともに取り込むことができる大きさを有している。すなわち、楽器１００に、取り付け上部２１０と取り付け下部２２０とを取り付けたときに、隙間なく取り付けるように構成されている。
【００２７】
薄板で欠円状を呈する側部材３１１と、その側部材３１１の内部において、その側部材３１１と壁状の壁部３２１によって構成される通路部３２２が側面視において、外部から内部に向かって渦巻状に巻き込む形状を呈し、その壁部３２１同士の距離ｚ１、ｚ２、ｚ３、ｚ４が、内部に向かうに従いその距離が接近する構成である。すなわち通路部３２２の断面が無段階に減少するのである。また、その壁部３２１によって構成されたと渦巻状の中心部は、音を伝達させるように孔となる孔部３３０を有する。このように、内部に向かうに従いその距離が接近する構成である通路部３２２の断面が段階を経て減少するものであっても好ましい。
【００２８】
側部材３１１に対して壁部３２１が取り付けられている反対側においては、側部材３１１の外形を縁取るように、途中に隙間を有するほぼ半円状の接続部３１２を配置し、若干外方（反対側）に突出した壁状を呈するものである。後述する外蓋部３５０とは嵌合するためのものである。なお、隣接する他のセル３１０ｂにおいても同様に、接続部３１２を有し，その接続部３１２は、隣接するセル３１０ａとの接続に用いられるものであり、隣接するセル３１０ａにおける壁部３２１と嵌合することで他のセル３１０ｂとセル３１０ａが接続される。また、上記のとおり、セル係合上部３３１は、取り付け上部２１０における１の断面視フック状の係合上部２１６と係合し、接続するためのものである。また、セル係合下部３３２は、取り付け下部２２０における係合下部２２６と係合し、接続するためのものである。
【００２９】
弱音部３０は、さらに、外蓋部３５０、３５０と中蓋部３６０と、を有する。外蓋部３５０は、全体として側面視欠円状を呈し、通気孔となる外蓋開口部３５１を有する。また、外蓋部３５０に中心には、孔となる外蓋孔部３５２を有し、後述する心棒３７０が挿入される。また、外蓋部３５０は、半円状を呈し、その外蓋部３５０の周囲を取り囲む壁部３５３を有し、セル３１０ａにおける接続部３１２と嵌合するように構成されている。また、外蓋部３５０は、取り付け部２０の取り付け上部２１０における接続部２１５、２１５および取り付け部２０の取り付け下部２２０における第２接続部２２５、２２５と係合して接続する被取り付け部３５５、３５５を有する。
【００３０】
中蓋部３６０は、薄板状であって、全体としてほぼ半円状を呈し、セル３１０ａと接続するために、中蓋部３６０の半円状の外形を縁取るように、立設され、かつほぼ半円状のセル接続部３６１と、外蓋部３５０と接続するために、中蓋部３６０の半円状の外形を縁取るように立設され、かつほぼ半円状の外蓋接続部３６２と、を有する。また、中蓋開口部３６３は、外蓋部３５０と組み合わせたときに、通気孔となる外蓋開口部３５１と１の開口部を構成する。また、中蓋部３６０のほぼ中心に、孔となる中蓋孔部３６４を有する。
【００３１】
上記構成の外蓋部３５０と、セル３１０ａ、３１０ｂ、３１０ｃ、３１０ｄ、３１０ｅ、３１０ｆ、３１０ｇ、３１０ｈ、３１０ｉ、３１０ｊと、中蓋部３６０と、外蓋部３５０と、を順に配置し、それらの中心を貫通するように心棒３７０が挿入し、ナット３７１で固定することで、弱音部３０が構成される（図７参照）。すなわち、セル３１０ａ、３１０ｂ、３１０ｃ、３１０ｄ、３１０ｅ、３１０ｆ、３１０ｇ、３１０ｈ、３１０ｉ、３１０ｊにおけるそれぞれの孔部３３０と、中蓋孔部３６４と外蓋孔部３５２、３５２を貫通するように心棒３７０を挿入し、ナット３７１で固定する。このとき心棒３７０の径よりもそれぞれの孔部３３０の径が大であるためにたとえば、セル３１０ａにおける孔部３３０から隣接する他のセル３１０ｂに、充分に音量が小さくなり弱音化した音が、そのセル３１０ａ、３１０ｂ、３１０ｃ、３１０ｄ、３１０ｅ、３１０ｆ、３１０ｇ、３１０ｈ、３１０ｉ、３１０ｊにおけるそれぞれの孔部３３０を伝って伝播し、中蓋孔部３６４を伝播しさらに中蓋開口部３６３および通気孔となる外蓋開口部３５１から漏出することができる。
【００３２】
上記構成の弱音装置１０を、楽器１００に取り付ける。図示しない使用者が、たとえば、歌口となる開口部１１１ａに息を吹き込むと、吹音リード１２１ａが振動し音を発生させる。この音が、上取り入れ部２１１ａに伝播され、弱音部３０におけるセル３１０ａの通路部３２２に入り込む。通路部３２２は上記のとおり、外部から内部に向かって渦巻状に巻き込む形状を呈し、その壁部３２１同士の距離ｚ１、ｚ２、ｚ３、ｚ４が、内部に向かうに従いその距離が接近する構成であるので、通路部３２２の断面が徐々に減少することにより、徐々に音量が小さくなり、セル３１０ａにおける孔部３３０から音が漏出するころには、弱音化が達成されている。この弱音化された音が、そのセル３１０ａ、３１０ｂ、３１０ｃ、３１０ｄ、３１０ｅ、３１０ｆ、３１０ｇ、３１０ｈ、３１０ｉ、３１０ｊにおけるそれぞれの孔部３３０を伝って伝播し、中蓋孔部３６４を伝播しさらに中蓋開口部３６３および通気孔となる外蓋開口部３５１から漏出することができる。このように中蓋開口部３６３および通気孔となる外蓋開口部３５１から音が漏出するときには、充分に弱音化が達成されている。なお、中蓋開口部３６３および通気孔となる外蓋開口部３５１が、開口しているのは、上記のとおり弱音化した音を漏出させるだけでなく、各吹音リードおよび各吸音リードを振動させるため空気の流入及び流出を妨げないようにするためでもある。
【００３３】
また、吸音リード１２２ａが振動して音を発生する場合もほぼ同様であり、取り付け下部２２０における下取り入れ部２２１ａに、その音が伝播され、弱音部３０におけるセル３１０ａの通路部３２２に入り込む。後は同様である。なお、他の開口部１１１ｂ、１１１ｃ、１１１ｄ、１１１ｅ、１１１ｆ、１１１ｇ、１１１ｈ、１１１ｉ、１１１ｊについても同様である。このように、楽器１００に弱音装置１０を取り付けることで、楽器を演奏する際に生じる音の音量を減らすことができる。なお、後述するように楽器１００が、ハーモニカのみならず図示しない鍵盤ハーモニカまたはアコーディオンについて使用する場合に適するものである。
【００３４】
次に、第２の実施例の弱音装置５０について説明する。第２の実施例における弱音装置５０は、楽器１００に取り付けて使用するものであり、その楽器１００が発する音の音量を小さくするいわゆる弱音化させるというものである。第２の弱音装置５０は、楽器１００に取り付けるための第２取り付け部６０と、その楽器１００が発生する音量を小さくするいわゆる弱音化する第２弱音部７０と、を有する（図９参照）。なお、楽器１００においてはすでに説明したので同一の符号を付しその説明は省略する。
【００３５】
第２取り付け部６０は、第２取り付け上部６１と第２取り付け下部６２とを有する。第２取り付け上部６１は、文字通り楽器１００の上部にビス等の固定具を用いて取り付けることができるカバーである。従って、楽器１００の上部を覆うように取り付けることができる。取り付け部６０における第２取り付け上部６１は、楽器１００における各吹音リード１２１ａ、１２１ｂ、１２１ｃ、１２１ｄ、１２１ｅ、１２１ｆ、１２１ｇ、１２１ｈ、１２１ｉ、１２１ｊがそれぞれ発生する音を取り入れる第２取り入れ部６１ａ、６１ｂ、６１ｃ、６１ｄ、６１ｅ、６１ｆ、６１ｇ、６１ｈ、６１ｉ、６１ｊを有する。なお、上記各第２取り入れ部は、独立し、かつ周囲が壁に囲まれた通路である。従って、上記各第２取り入れ部は、各吹音リードが発生する音を取り入れて、それぞれ、第２弱音部７０に伝達するそれぞれの通路としての役割を果たすものである。
【００３６】
第２取り付け下部６２は、文字通り楽器１００の下部にビス等の固定具を用いて取り付けることができるカバーである。従って、楽器１００の下部にあてがうように取り付けることができる。取り付け部６０における第２取り付け下部６２は、楽器１００における各吸音リード１２２ａ、１２２ｂ、１２２ｃ、１２２ｄ、１２２ｅ、１２２ｆ、１２２ｇ、１２２ｈ、１２２ｉ、１２２ｊがそれぞれ発生する音を取り入れる第３取り入れ部６２ａ、６２ｂ、６２ｃ、６２ｄ、６２ｅ、６２ｆ、６２ｇ、６２ｈ、６２ｉ、６２ｊを有する。なお、上記各第３取り入れ部は、独立し、かつ周囲が壁に囲まれた通路である。従って、上記各第３取り入れ部は、各吸音リードが発生する音を、取り入れて、それぞれ、上記各第３取り入れ部は第２弱音部７０に伝達するそれぞれの通路としての役割を果たすものである。
【００３７】
第２弱音部７０は、上部弱音部材７１と下部弱音部材７２とを有するものである。なお、第２取り付け上部６１と、上部弱音部材７１と、が一体となり、さらに第２取り付け下部６２と下部弱音部材７２とが一体となる構成である。それらは、それぞれケースの１部を構成する。
【００３８】
また第２弱音部７０の後部には、第２取り入れ部６１ａ、６１ｂ、６１ｃ、６１ｄ、６１ｅ、６１ｆ、６１ｇ、６１ｈ、６１ｉ、６１ｊおよび第３取り入れ部６２ａ、６２ｂ、６２ｃ、６２ｄ、６２ｅ、６２ｆ、６２ｇ、６２ｈ、６２ｉ、６２ｊ、とそれぞれ接続して通路となる他の通路部７５ａ、７５ｂ、７５ｃ、７５ｄ、７５ｅ、７５ｆ、７５ｇ、７５ｈ、７５ｉ、７５ｊを通過して音を排出するための排出口となる後部開口部７７ａ、７７ｂ、７７ｃ、７７ｄ、７７ｅ、７７ｆ、７７ｇ、７７ｈ、７７ｉ、７７ｊを有する。なお、後部開口部７７ａ、７７ｂ、７７ｃ、７７ｄ、７７ｅ、７７ｆ、７７ｇ、７７ｈ、７７ｉ、７７ｊが、開口しているのは、上記のとおり弱音化した音を漏出させるだけでなく、各吹音リードおよび各吸音リードを振動させるため空気の流入及び流出を妨げないようにするためでもある。
【００３９】
上部弱音部材７１は、第２取り入れ部６１ａ、６１ｂ、６１ｃ、６１ｄ、６１ｅ、６１ｆ、６１ｇ、６１ｈ、６１ｉ、６１ｊからの音がそれぞれ流入する他の通路部７５ａ、７５ｂ、７５ｃ、７５ｄ、７５ｅ、７５ｆ、７５ｇ、７５ｈ、７５ｉ、７５ｊの一部を有する。また、下部弱音部材７２においても第３取り入れ部６２ａ、６２ｂ、６２ｃ、６２ｄ、６２ｅ、６２ｆ、６２ｇ、６２ｈ、６２ｉ、６２ｊ、からの音がそれぞれ流入する他の通路部７５ａ、７５ｂ、７５ｃ、７５ｄ、７５ｅ、７５ｆ、７５ｇ、７５ｈ、７５ｉ、７５ｊの一部を有する。従って、上部弱音部材７１と、下部弱音部材７２とを組み合わせることで、他の通路部７５ａ、７５ｂ、７５ｃ、７５ｄ、７５ｅ、７５ｆ、７５ｇ、７５ｈ、７５ｉ、７５ｊが構成される。なお図１３、１４において、それぞれ他の通路部７５ａ、７５ｂ、７５ｃ、７５ｄ、７５ｅ、７５ｆ、７５ｇ、７５ｈ、７５ｉ、７５ｊを示しているが、それはその他の通路部７５ａ、７５ｂ、７５ｃ、７５ｄ、７５ｅ、７５ｆ、７５ｇ、７５ｈ、７５ｉ、７５ｊの一部を示している。
【００４０】
上部弱音部材７１は、曲面状を呈するものである。もっともこの形状に限られることはない。また、上部弱音部材７１は、板状を呈する、第１上部障壁部７６、第２上部障壁部７７、第３上部障壁部７８、を有する。また、第１上部障壁部７６、第２上部障壁部７７、第３上部障壁部７８、の順に、上部弱音部材７１から垂れ下がる距離が短くなっている。また、これは各他の通路部７５ａ、７５ｂ、７５ｃ、７５ｄ、７５ｅ、７５ｆ、７５ｇ、７５ｈ、７５ｉ、７５ｊにおいても、幅方向において整列するように第１上部障壁部７６、第２上部障壁部７７、第３上部障壁部７８、はそれぞれ同様の位置に配置されている。また、第１上部障壁部７６、第２上部障壁部７７、第３上部障壁部７８、はそれぞれ、上部弱音部材７１から垂れ下がるように配置されているが、下部弱音部材７２と接することはなく所定の隙間が生じている。
【００４１】
下部弱音部材７２は、曲面状を呈するものである。もっともこの形状に限られることはない。また、下部弱音部材７２は、板状を呈する、第１下部障壁部８６、第２下部障壁部８７、第３下部障壁部８８、を有する。また、第１下部障壁部８６、第２下部障壁部８７、第３下部障壁部８８、の順に、下部弱音部材７２から屹立する高さが徐々に低くなっている。また、これは各他の通路部７５ａ、７５ｂ、７５ｃ、７５ｄ、７５ｅ、７５ｆ、７５ｇ、７５ｈ、７５ｉ、７５ｊにおいても、幅方向において整列するように同様の位置に配置されている。また、第１下部障壁部８６、第２下部障壁部８７、第３下部障壁部８８、それぞれ、下部弱音部材７２から屹立するように配置されているが、上部弱音部材７１と接することはなく所定の隙間が生じている。上記の通り、第１上部障壁部７６、第２上部障壁部７７、第３上部障壁部７８、はそれぞれ、上部弱音部材７１から垂れ下がるように配置されているが、下部弱音部材７２と接することはなく所定の隙間が生じている。
【００４２】
このように、他の通路部７５ａは、第１下部障壁部８６と上部弱音部材７１の隙間と、第１下部障壁部８６と第１上部障壁部７６との断面（ｚ１０）と、第１上部障壁部７６と下部弱音部材７２との隙間と、第１上部障壁部７６と第２下部障壁部８７との断面（ｚ１１）と、第２下部障壁部８７と上部弱音部材７１との隙間と、第２下部障壁部８７と第２上部障壁部７７との断面（ｚ１２）と、第２上部障壁部７７と下部弱音部材７２との隙間と、第２上部障壁部７７と第３下部障壁部８８との断面（ｚ１３）と、第３下部障壁部８８と上部弱音部材７１の隙間と、第３下部障壁部８８と第３上部障壁部７８との断面（ｚ１４）と、第３上部障壁部７８と下部弱音部材７２との隙間と、を経て、後部開口部７７ａに至る。なお、各他の通路部７５ａ、７５ｂ、７５ｃ、７５ｄ、７５ｅ、７５ｆ、７５ｇ、７５ｈ、７５ｉ、７５ｊも同様である。
【００４３】
従って上記構成の上部弱音部材７１と下部弱音部材７２とを組み合わせると、たとえば、他の通路部７５ａは、第１下部障壁部８６を乗り越えつつ、第１上部障壁部７６を潜り抜け、さらに第２下部障壁部８７を乗り越えつつ、第２上部障壁部７７を潜り抜け、さらに第３下部障壁部８８を乗り越えつつ、第３上部障壁部７８を潜り抜け、後部開口部７７ａに至るのである。このとき、第１下部障壁部８６と第１上部障壁部７６との距離ｚ１０、第１上部障壁部７６と第２下部障壁部８７との距離ｚ１１、第２下部障壁部８７と第２上部障壁部７７との距離ｚ１２、第２上部障壁部７７と第３下部障壁部８８との距離ｚ１３、第３下部障壁部８８と第３上部障壁部７８との距離ｚ１４の距離が徐々に段階を経て接近するように配置している。すなわち、上述の複数の各上部障壁部と、複数の各下部障壁部とは、互い違いに組み合わせることによって他の通路部７５ａを構成し、さらにこの他の通路部７５ａの断面（ｚ１０、ｚ１１、ｚ１２、ｚ１３、ｚ１４）が徐々に減少する。これにより音量を減ずることができるものと考える。なお各他の通路部７５ｂ、７５ｃ、７５ｄ、７５ｅ、７５ｆ、７５ｇ、７５ｈ、７５ｉ、７５ｊにおいても同様である。さらに上記のとおり、後部開口部７７ａ、７７ｂ、７７ｃ、７７ｄ、７７ｅ、７７ｆ、７７ｇ、７７ｈ、７７ｉ、７７ｊが、開口しているのは、上記のとおり弱音化した音を漏出させるだけでなく、各吹音リードおよび各吸音リードを振動させるため空気の流入及び流出を妨げないようにするためでもある。
【００４４】
上記構成の第２の実施例の弱音装置５０を、楽器１００に取り付ける。図示しない使用者が、たとえば、歌口となる開口部１１１ａに息を吹き込むと、吹音リード１２１ａが振動し音を発生させる。この音が、第２取り付け部６０の、第２取り付け上部６１における第２取り入れ部６１ａに伝播され、第２弱音部７０における上部弱音部材７１の第２取り入れ部６１ａと接続する他の通路部７５ａに入り込む。他の通路部７５ａは、上記のとおり第１下部障壁部８６を乗り越えつつ、第１上部障壁部７６を潜り抜け、さらに第２下部障壁部８７を乗り越えつつ、第２上部障壁部７７を潜り抜け、さらに第３下部障壁部８８を乗り越えつつ、第３上部障壁部７８を潜り抜け、後部開口部７７ａに至るのである。
【００４５】
このとき、第１下部障壁部８６と第１上部障壁部７６との距離ｚ１０、第１上部障壁部７６と第２下部障壁部８７との距離ｚ１１、第２下部障壁部８７と第２上部障壁部７７との距離ｚ１２、第２上部障壁部７７と第３下部障壁部８８との距離ｚ１３、第３下部障壁部８８と第３上部障壁部７８との距離ｚ１４の距離が徐々に段階を得て接近するように配置している。従って弱音装置５０の後部に向かうに従いそれらの距離（ｚ１０、ｚ１１、ｚ１２、ｚ１３、ｚ１４）が徐々に接近する構成であるので、他の通路部７５ａの断面が徐々に減少する。すなわち他の通路部７５ａの断面が段階的に減少することにより、徐々に音量が小さくなり、後部開口部７７ａから音が漏出するころには、弱音化が達成されている。吸音リード１２２ａが振動して音を発生する場合もほぼ同様であり、下部弱音部材７２における第３取り入れ部６２ａに、その音が伝播され、第２弱音部７０における下部弱音部材７２の第３取り入れ部６２ａと接続する他の通路部７５ａに入り込む。後は同様である。なお、他の開口部１１１ｂ、１１１ｃ、１１１ｄ、１１１ｅ、１１１ｆ、１１１ｇ、１１１ｈ、１１１ｉ、１１１ｊについても同様である。このように、楽器１００に第２の実施例の弱音装置５０を取り付けることで、楽器を演奏する際に生じる音の音量を減らすことができる。特に楽器１００が、ハーモニカを使用する場合に適するものであることも同様である。
【００４６】
なお、上記実施例においては、楽器１００の例としてハーモニカを示したが、そのほかに鍵盤ハーモニカまたはアコーディオンについても使用することができる。また、発音源となる各吹音リードおよび各吸音リードと、弱音装置における各通路部が独立しているために、発音源から出た音が他へ流出することなく弱音装置におけるその各通路部に流入することができる。なお、複数の発音源から出た音を１の通路部にまとめて流入することを妨げるものではない。
【符号の説明】
【００４７】
１０  弱音装置
２０  取り付け部
２１０  取り付け上部
２２０  取り付け下部
３０  弱音部
３１０ａ  セル
３１１  側部材
３２１  壁部
３２２  通路部
５０  第２の実施例の弱音装置
６０  第２取り付け部
７０  第２弱音部
７１  上部弱音部材
７２  下部弱音部材
７５ａ  他の通路部
７６  第１上部障壁部
７７  第２上部障壁部
７８  第３上部障壁部
８６  第１下部障壁部
８７  第２下部障壁部
８８  第３下部障壁部
【図１】
2019146002.tif 000003
【図２】
2019146002.tif 000004
【図３】
2019146002.tif 000005
【図４】
2019146002.tif 000006
【図５】
2019146002.tif 000007
【図６】
2019146002.tif 000008
【図７】
2019146002.tif 000009
【図８】
2019146002.tif 000010
【図９】
2019146002.tif 000011
【図１０】
2019146002.tif 000012
【図１１】
2019146002.tif 000013
【図１２】
2019146002.tif 000014
【図１３】
2019146002.tif 000015
【図１４】
2019146002.tif 000016
【国際調査報告】
2019146002.tif 000017
2019146002.tif 000018
2019146002.tif 000019
2019146002.tif 000020